(57)【要約】【課題】事前に利用者の個人登録が不要でありながら、セキュリティ性が高い機械式・赤外線式併用二重錠前システムを提供する。【解決手段】機械式鍵部１１０に設けられ、外部に対して赤外線を放射する赤外線発光手段１１１と、外部からの操作に応じてトリガー信号を発生する操作手段１２１と、電子鍵データを保存する電子鍵情報記憶手段と、前記操作手段からのトリガー信号に応答して前記電子鍵情報記憶手段から前記電子鍵データを読み出し、駆動信号に変換するエンコード手段と、前記エンコード手段により変換された駆動信号に基づいて前記赤外線発光手段を駆動する駆動手段と、これらに電源を供給する電源供給手段とを備えている。【選択図】  図６
2004218379.tif 000002
【特許請求の範囲】
【請求項１】
機械式の鍵の鍵穴に差し込む機械式鍵部に設けられ、機械式鍵部の外部に対して赤外線を放射する赤外線発光手段と、
外部からの操作に応じてトリガー信号を発生する操作手段と、
電子鍵データを保存する電子鍵情報記憶手段と、
前記操作手段からのトリガー信号に応答して前記電子鍵情報記憶手段から前記電子鍵データを読み出し、駆動信号に変換するエンコード手段と、
前記エンコード手段により変換された駆動信号に基づいて前記赤外線発光手段を駆動する駆動手段と、
これらに電源を供給する電源供給手段とを備え、
赤外線式鍵としても機能することを特徴とする機械式・赤外線式併用二重鍵。
【請求項２】
前記電源供給手段は充電式であり、さらに前記電源供給手段に前記機械式・赤外線式併用二重鍵の外部から充電するための電極を備えていることを特徴とする請求項１に記載の機械式・赤外線式併用二重鍵。
【請求項３】
請求項１または２に記載の機械式・赤外線式併用二重鍵において、
前記赤外線発光手段が前記機械式鍵部の先端部に設けられており、
前記併用二重鍵を差し込む鍵穴の内奥部であって、前記機械式鍵部先端の前記赤外線発光手段と対峙する位置に配置された赤外線受光手段と、
前記赤外線受光手段の出力から電子鍵データに変換するデコード手段と、
予め親鍵データを保存しておく親鍵情報記憶手段と、
指令信号に応じて開錠または施錠を行う電子ロックと、
前記デコード手段で変換された電子鍵データと前記親鍵情報記憶手段に保存された前記親鍵データとを比較して、前記電子鍵データと前記親鍵データが一致したときに、前記電子ロックに対して開錠指令信号を送信する電子鍵データ比較判定手段とを備えたことを特徴とする機械式・赤外線式併用二重錠前システム。
【請求項４】
請求項１または２に記載の機械式・赤外線式併用二重鍵において、
前記赤外線発光手段が前記機械式鍵部の側面部に設けられており、
前記併用二重鍵を差し込む鍵穴の側面部分であって、前記機械式鍵部とともに回転する部分における前記赤外線発光手段と対峙する位置に配置された赤外線受光手段と、
前記赤外線受光手段の出力から電子鍵データに変換するデコード手段と、
予め親鍵データを保存しておく親鍵情報記憶手段と、
指令信号に応じて開錠または施錠を行う電子ロックと、
前記デコード手段で変換された電子鍵データと前記親鍵情報記憶手段に保存された前記親鍵データを比較して、前記電子鍵データと前記親鍵データが一致したときに、前記電子ロックに対して開錠指令信号を送信する電子鍵データ比較判定手段とを備えたことを特徴とする機械式・赤外線式併用二重錠前システム。
【請求項５】
請求項１または２に記載の機械式・赤外線式併用二重鍵において、
前記赤外線発光手段が前記機械式鍵部の側面部に設けられており、
前記併用二重鍵を差し込む鍵穴の側面であって、前記機械式鍵部とともに回転する部分における前記赤外線発光手段と対峙する位置に設けられた赤外線を透過させる赤外線透過手段と、
前記併用二重鍵を機械式ロック部分が開錠される位置まで移動させたときに、前記赤外線発光手段と前記赤外線透過手段とに対峙する位置に配置された赤外線受光手段と、
前記赤外線受光手段の出力から電子鍵データに変換するデコード手段と、
指令信号に応じて開錠または施錠を行う電子ロックと、
予め親鍵データを保存しておく親鍵情報記憶手段と、
前記デコード手段で変換された電子鍵データと前記親鍵情報記憶手段に保存された前記親鍵データを比較して、前記電子鍵データと前記親鍵データが一致したときに、前記電子ロックに対して開錠指令信号を送信する電子鍵データ比較判定手段とを備えたことを特徴とする機械式・赤外線式併用二重錠前システム。
【請求項６】
前記赤外線発光手段が機械式鍵部の先端部および／または側面部に複数個設けられるとともに、
前記赤外線受光手段が、前記併用二重鍵を差し込む鍵穴の内奥部および／または内側面部であって、前記赤外線発光手段のそれぞれと対峙する位置に複数個設けられており、
前記駆動手段は、前記エンコード手段からの駆動信号に基づいて前記複数の赤外線発光手段を駆動して、すべての赤外線発光手段から同一の電子鍵データを送信し、
前記デコード手段は、前記複数の赤外線受光手段の出力を各々の電子鍵データに変換し、
前記電子鍵データ比較判定手段は、前記デコード手段により変換された各々の電子鍵データを前記親鍵データと比較して、すべての電子鍵データが前記親鍵データと一致したときのみ、前記電子ロックに対して開錠指令信号を送信することを特徴とする請求項３ないし５のいずれか１項に記載の機械式・赤外線式併用二重錠前システム。
【請求項７】
前記赤外線発光手段が機械式鍵部の先端部および／または側面部に複数個設けられるとともに、
前記赤外線受光手段が、前記併用二重鍵を差し込む鍵穴の内奥部および／または内側面部であって、前記赤外線発光手段のそれぞれと対峙する位置に複数個設けられており、
前記駆動手段は、前記エンコード手段からの駆動信号に基づいて前記複数の赤外線発光手段を駆動して、すべての赤外線発光手段から同一の電子鍵データを送信し、
前記デコード手段は、前記複数の赤外線受光手段の出力を各々の電子鍵データに変換し、
前記電子鍵データ比較判定手段は、前記デコード手段により変換された各々の電子鍵データを前記親鍵データと比較して、少なくとも所定数以上の電子鍵データが前記親鍵データと一致したときのみ、前記電子ロックに対して開錠指令信号を送信することを特徴とする請求項３ないし５のいずれか１項に記載の機械式・赤外線式併用二重錠前システム。
【請求項８】
前記赤外線発光手段が機械式鍵部の先端部および／または側面部に複数個設けられるとともに、
前記赤外線受光手段が、前記併用二重鍵を差し込む鍵穴の内奥部および／または内側面部であって、前記赤外線発光手段のそれぞれと対峙する位置に複数個設けられており、
前記電子鍵情報記憶手段には、前記複数の赤外線発光手段の各々に対応する相異なる複数の電子鍵データが保存されており、
前記親鍵情報記憶手段には、これら複数の電子鍵データに対応する複数の親鍵データが保存されており、
前記エンコード手段は、前記電子鍵情報記憶手段から前記複数の電子鍵データを読み出して複数の駆動信号に変換し、
前記駆動手段は、前記エンコード手段からの各駆動信号に基づいて前記複数の赤外線発光手段をそれぞれ駆動して、すべての赤外線発光手段から各々に対応した電子鍵データを送信し、
前記デコード手段は、前記複数の赤外線受光手段の出力を各々の電子鍵データに変換し、
前記電子鍵データ比較判定手段は、前記デコード手段により変換された各々の電子鍵データを前記親鍵情報記憶手段に保存されている対応する親鍵データとそれぞれ比較して、それぞれの比較結果がすべて一致したときのみ、前記電子ロックに対して開錠指令信号を送信することを特徴とする請求項３ないし５のいずれか１項に記載の機械式・赤外線式併用二重錠前システム。
【請求項９】
前記赤外線発光手段が機械式鍵部の先端部および／または側面部に複数個設けられるとともに、
前記赤外線受光手段が、前記併用二重鍵を差し込む鍵穴の内奥部および／または内側面部であって、前記赤外線発光手段のそれぞれと対峙する位置に複数個設けられており、
前記電子鍵情報記憶手段には、前記複数の赤外線発光手段の各々に対応する相異なる複数の電子鍵データが保存されており、
前記親鍵情報記憶手段には、これら複数の電子鍵データに対応する複数の親鍵データが保存されており、
前記エンコード手段は、前記電子鍵情報記憶手段から前記複数の電子鍵データを読み出して複数の駆動信号に変換し、
前記駆動手段は、前記エンコード手段からの各駆動信号に基づいて前記複数の赤外線発光手段をそれぞれ駆動して、すべての赤外線発光手段から各々に対応した電子鍵データを送信し、
前記デコード手段は、前記複数の赤外線受光手段の出力を各々の電子鍵データに変換し、
前記電子鍵データ比較判定手段は、前記デコード手段により変換された各々の電子鍵データを前記親鍵情報記憶手段に保存されている対応する親鍵データとそれぞれ比較して、少なくとも所定数以上の比較結果が一致したときのみ、前記電子ロックに対して開錠指令信号を送信することを特徴とする請求項３ないし５のいずれか１項に記載の機械式・赤外線式併用二重錠前システム。
【請求項１０】
前記電子鍵情報記憶手段には開錠用電子鍵データと、これとは異なる施錠用電子鍵データが保存されており、
前記親鍵情報記憶手段には、前記開錠用電子鍵データに対応する開錠用親鍵データと、前記施錠用電子鍵データに対応する施錠用親鍵データとが保存されており、
前記操作手段は第１の操作手段と第２の操作手段とからなり、
前記エンコード手段は、前記第１の操作手段が操作されたときには前記電子鍵情報記憶手段から開錠用電子鍵データを読み出して駆動信号に変換するとともに、前記第２の操作手段が操作されたときには前記電子鍵情報記憶手段から施錠用電子鍵データを読み出して駆動信号に変換し、
前記電子鍵データ比較判定手段は、前記デコード手段により変換された電子鍵データが前記電子鍵情報記憶手段に保存されている開錠用親鍵データに一致するときには前記電子ロックに対して開錠指令信号を送信し、前記デコード手段により変換された電子鍵データが前記電子鍵情報記憶手段に保存されている施錠用親鍵データに一致するときには前記電子ロックに対して施錠指令信号を送信することを特徴とする請求項３ないし９のいずれか１項に記載の機械式・赤外線式併用二重錠前システム。
【請求項１１】
前記電子鍵情報記憶手段には開錠用電子鍵データと、これとは異なる施錠用電子鍵データが保存されており、
前記親鍵情報記憶手段には、前記開錠用電子鍵データに対応する開錠用親鍵データと、前記施錠用電子鍵データに対応する施錠用親鍵データとが保存されており、
前記エンコード手段は、前記操作手段が操作される毎に第１の状態と第２の状態を交互に推移する操作状態判別部を有し、前記操作状態判別部が前記第１の状態において前記操作手段が操作されたときは前記電子鍵情報記憶手段から前記開錠用電子鍵データを読み出して駆動信号に変換し、前記操作状態判別部が前記第２の状態において前記操作手段が操作されたときは前記電子鍵情報記憶手段から前記施錠用電子鍵データを読み出して駆動信号に変換し、
前記電子鍵データ比較判定手段は、前記デコード手段により変換された電子鍵データが前記電子鍵情報記憶手段に保存されている開錠用親鍵データに一致するときには前記電子ロックに対して開錠指令信号を送信し、前記デコード手段により変換された電子鍵データが前記電子鍵情報記憶手段に保存されている施錠用親鍵データに一致するときには前記電子ロックに対して施錠指令信号を送信することを特徴とする請求項３ないし９のいずれか１項に記載の機械式・赤外線式併用二重錠前システム。
【請求項１２】
機械式ロックが開錠状態にあるか施錠状態にあるかを検出する機械式ロック状態検出手段を有し、
前記電子鍵データ比較判定手段は、前記デコード手段で変換された電子鍵データと前記親鍵情報記憶手段に保存された前記親鍵データを比較して、前記電子鍵データと前記親鍵データが一致したとき、前記機械式ロック状態検出手段が、機械式ロックが開錠状態であることを検出している場合には、前記電子ロックに対して開錠指令信号を送信し、前記機械式ロック状態検出手段が、機械式ロックが施錠状態であることを検出している場合には、前記電子ロックに対して施錠指令信号を送信することを特徴とする請求項３ないし９のいずれか１項に記載の機械式・赤外線式併用二重錠前システム。
【請求項１３】
機械式ロックが開錠状態にあるか施錠状態にあるかを検出する機械式ロック状態検出手段を有し、
前記電子鍵データ比較判定手段は、前記機械式ロック状態検出手段によって機械式ロックが開錠状態から施錠状態に変化したことを検出すると、前記電子ロックに対して施錠指令信号を送信することを特徴とする請求項３ないし９のいずれか１項に記載の機械式・赤外線式併用二重錠前システム。
【請求項１４】
前記機械式・赤外線式併用二重鍵は、外部からの操作に応じて第１のトリガー信号を発生する通信用操作手段と、
情報の送受信を行う第１の通信手段と、
前記通信用操作手段からの第１のトリガー信号に応答して前記第１の通信手段による通信を行い、受信した情報に基づいて前記電子鍵情報記憶手段に保存されている電子鍵データを更新する電子鍵情報更新手段とをさらに備えており、
前記電子鍵データ比較判定手段は、外部からの操作に応じて第２のトリガー信号を発生する電子鍵更新用操作手段と、
前記第１の通信手段との間で情報の送受信を行う第２の通信手段と、
前記電子鍵更新用操作手段の操作により発生した第２のトリガー信号に応答して新しい電子鍵データを生成し、前記親鍵情報記憶手段に保存されている親鍵データを更新するとともに、生成した電子鍵データを前記第２の通信手段により送信する電子鍵情報生成手段とを備えたことを特徴とする請求項３ないし１３のいずれか１項に記載の機械式・赤外線式併用二重錠前システム。
【請求項１５】
前記電子鍵情報生成手段により前記親鍵情報記憶手段に保存されている親鍵データを更新する前に、前記親鍵情報記憶手段に保存されている更新前親鍵データを記憶する更新前親鍵情報記憶手段と、
前記デコード手段で変換された電子鍵データと前記更新前親鍵情報記憶手段に記憶された前記更新前親鍵データとを比較して、前記電子鍵データと前記更新前親鍵データが一致したときに一致情報の記録を行う記録手段とをさらに備えたことを特徴とする請求項１４に記載の機械式・赤外線式併用二重錠前システム。
【請求項１６】
前記電子鍵情報生成手段により前記親鍵情報記憶手段に保存されている親鍵データを更新する前に、前記親鍵情報記憶手段に保存されている更新前親鍵データを記憶する更新前親鍵情報記憶手段と、
前記デコード手段で変換された電子鍵データと前記更新前親鍵情報記憶手段に記憶された前記更新前親鍵データとを比較して、前記電子鍵データと前記更新前親鍵データが一致したときに通報を行う通報手段とをさらに備えたことを特徴とする請求項１４に記載の機械式・赤外線式併用二重錠前システム。
【請求項１７】
前記電子鍵情報生成手段により前記親鍵情報記憶手段に保存されている親鍵データを更新する前に、前記親鍵情報記憶手段に保存されている更新前親鍵データを記憶する更新前親鍵情報記憶手段と、
前記デコード手段で変換された電子鍵データと前記更新前親鍵情報記憶手段に記憶された前記更新前親鍵データとを比較して、前記電子鍵データと前記更新前親鍵データが一致したときに警告を行う警告手段とをさらに備えたことを特徴とする請求項１４に記載の機械式・赤外線式併用二重錠前システム。
【請求項１８】
鍵穴に鍵が挿入されていることを検出する機械的スイッチをさらに備え、
前記機械的スイッチにより鍵が挿入されていることを検出しているときに前記錠前システムに電源を供給して作動させるようにしたことを特徴とする請求項３ないし１７のいずれか１項に記載の機械式・赤外線式併用二重錠前システム。
【発明の詳細な説明】
【０００１】
【発明の属する技術分野】
本発明は、一般家庭・集合住宅やオフィス等で出入口に設けられて不当な人物の侵入を抑止する錠前システムに関し、特に、高いセキュリティを必要とする出入口に使用する機械式・赤外線式併用二重錠前システムに関するものである。
【０００２】
【従来の技術】
錠前とは、手に持って操作する鍵（キー）と、ドアや窓などの開口部またはその周辺に取り付けられて開口部の開閉を規制する錠（ロック）との組み合わせのことを言う。また、錠前にさらに何らかの機器を組み合わせたものを錠前システムと呼ぶことにする。
【０００３】
従来の出入口の施錠・開錠に使用される錠前および錠前システムとしては、以下に記載するようなものがある。
【０００４】
（１）機械式
機械式の錠前の代表的なものがシリンダー方式である。シリンダー方式にもいくつかの種類があるが、最も基本的なものがピンシリンダー方式と呼ばれるものである。
【０００５】
ピンシリンダー方式の錠前では、錠の内部に設けられたシリンダー内の内筒と外筒の間に途中で分断された多数のピンが差し込まれており、通常時はこのピンにより内筒と外筒が固定され、内筒の回転ができないようになっている。ピンの長さに対応した固有形状をした鍵を鍵穴に差し込むと、ピンの分断面がシリンダー内の内筒と外筒の接触面で整列するようになり、シリンダーの外筒に対して内筒を回転させることができるようになる。この内筒の回転と連動して施錠・開錠をするような構成としたのが、ピンシリンダー方式の錠前である。
【０００６】
（２）赤外線透過・非透過利用方式
例えば特許文献１のように、フラットで単純な形状をした鍵を鍵穴に差し込んだ時、錠の内部の鍵をはさんで片側に複数の赤外発光素子、その反対側の対峙するそれぞれの位置に複数の受光素子を配置するとともに、鍵そのものの対峙位置のすべて、あるいはその一部に赤外線を透過させる貫通穴を設けたものである。そして、貫通穴を設けて赤外線を透過させる箇所と、貫通穴を設けず、赤外線を透過させない箇所の設定パターンを固有データとし、鍵に設けられた貫通穴の設定パターンが固有データに一致するときのみ施錠・開錠をするように構成したものが赤外線透過・非透過利用方式の錠前システムである。
【０００７】
（３）電波式
自動車用のキーレスエントリーシステムに使用される最も代表的な方式で、電波を使って無線で固有の電子鍵信号を送り、施錠・開錠を行う錠前システムである。
【０００８】
施錠・開錠の際にいちいち鍵穴に差し込む必要はなく、離れた場所から操作できるので、鍵の利用者にとっては非常に利便性が良い。
【０００９】
なお、自動車用のキーレスエントリーシステムに使用されているものの一部には、機械式の鍵と一体化して、機械式・電波式併用鍵としたものがある。このような機械式・電波式併用鍵では、電波を使って無線で固有の電子鍵信号を送り、施錠・開錠を行うだけでなく、電波を使わずに機械式の鍵の部分を使って施錠・開錠を行うことができるようになっている。
【００１０】
（４）赤外線信号式（鍵穴に差し込まないタイプ）
電波式と同様に、自動車用のキーレスエントリーシステムの一部などに利用されているもので、電波の代わりに赤外線で固有の電子鍵信号を送り、施錠・開錠を行う錠前システムである。
【００１１】
電波式と同様に、やはり施錠・開錠の際にいちいち鍵穴に差し込む必要はなく、離れた場所から操作できるので、鍵の利用者にとっては利便性が良い。ただし、電波式と異なり、赤外線には指向性があるので、赤外線送信機を自動車に取り付けられた赤外線受信機の受光部に正しく向ける必要がある。また、送信機と受信機の間に遮蔽物があると使えなくなる。
【００１２】
なお、自動車用のキーレスエントリーシステムに使用されているものの一部には、機械式の鍵と一体化して、機械式・赤外線式併用鍵としたものがある。このような機械式・赤外線式併用鍵では、赤外線で固有の電子鍵信号を送り、施錠・開錠を行うだけでなく、赤外線を使わずに機械式の鍵の部分を使って施錠・開錠を行うことができるようになっている。
【００１３】
（５）赤外線信号式（鍵穴に差し込むタイプ）
例えば特許文献２のように、鍵穴の内部において赤外線を使って固有の電子鍵信号を送り、施錠・開錠を行う錠前システムである。
【００１４】
（６）生体認証方式
人間の身体の一部には個人個人で異なる固有の特徴を有したものがある。例えば、指紋、掌紋、虹彩、網膜などであるが、これらのパターンの特徴を利用して本人の認証を行い、施錠・開錠を行う錠前システムである。なお、生体認証を行う技術はバイオメトリクス技術とも呼ばれている。
【００１５】
【特許文献１】
特開昭６１−２９０２５号公報
【特許文献２】
特開平９−２５６７０５号公報
【００１６】
【発明が解決しようとする課題】
しかしながら、上述の錠前および錠前システムでは、以下に記載するような問題点が生じる。
【００１７】
（１）機械式
機械式の鍵は、容易に合鍵が作成される可能性がある。また、窃盗のプロにかかれば、鍵穴に針金類のようなものを差し込まれて錠内部の部品が動かされ、極めて短時間のうちに開錠されてしまう危険性がある。
【００１８】
（２）赤外線透過・非透過利用方式
鍵の形状とパターンが比較的単純なため、同一形状の鍵に単に貫通穴を開けるだけで容易に合鍵が作成されてしまう。
【００１９】
（３）電波式
固有の電子鍵信号のやり取りを電波で行っているため、電子鍵信号は簡単に傍受される可能性がある。傍受した信号と同一信号を発生する装置を作れば、それにより不正開錠が可能となってしまう。
【００２０】
また、鍵を紛失したり、盗難にあった場合、利用者自身では電子鍵信号の変更をすることができない。電子鍵信号を変更するには、錠前システムの販売元、あるいは製造元に依頼しなければならないが、それには費用と時間が必要である。電子鍵信号の変更が完了するまでは、変更前の電子鍵信号による不正開錠の危険性がある。
【００２１】
なお、自動車用のキーレスエントリーシステムに使用されているものの一部で機械式の鍵と一体化しており、電波を使わずに機械式の鍵の部分を使って施錠・開錠を行うことができるようになっている場合は、上述の（１）で説明した機械式の鍵と同じ課題も抱えている。
【００２２】
（４）赤外線信号式（鍵穴に差し込まないタイプ）
電波式と比較すると、赤外線には指向性があり、通信距離も短く限定されているので傍受される可能性は低くなっている。ただし、鍵が人手に渡ってしまうと、赤外線信号パターンによる電子鍵データは簡単に読み取られてしまう。特に、赤外線信号パターンが家電製品などの標準的な信号パターンに準拠している場合には、市販されている学習リモコンにより、信号パターンが容易に複製されてしまうことも考えられる。
【００２３】
また、電波式と同様に、鍵を紛失したり、盗難にあった場合、利用者自身では電子鍵信号の変更をすることができない。電子鍵信号を変更するには、錠前システムの販売元、あるいは製造元に依頼しなければならないが、それには費用と時間が必要である。電子鍵信号の変更が完了するまでは、変更前の電子鍵信号による不正開錠の危険性がある。
【００２４】
なお、自動車用のキーレスエントリーシステムに使用されているものの一部で機械式の鍵と一体化しており、赤外線を使わずに機械式の鍵の部分を使って施錠・開錠を行うことができるようになっている場合は、上述の（１）で説明した機械式の鍵と同じ課題も抱えている。
【００２５】
（５）赤外線信号式（鍵穴に差し込むタイプ）
赤外線は鍵穴の外部へ漏れることはないため、傍受される可能性は皆無といえる。ただし、鍵が人手に渡ってしまうと、赤外線信号パターンによる電子鍵データは簡単に読み取られる可能性がある。
【００２６】
また、電波式と同様に、鍵を紛失したり、盗難にあった場合、利用者自身では電子鍵信号の変更をすることができない。電子鍵信号を変更するには、錠前システムの販売元、あるいは製造元に依頼しなければならないが、それには費用と時間が必要である。電子鍵信号の変更が完了するまでは、変更前の電子鍵信号による不正開錠の危険性がある。
【００２７】
（６）生体認証方式
身体一部の固有の特徴を利用して本人の認証を行っているため、セキュリティ性は極めて高いが、予め登録した人物しか使用できないという問題点がある。緊急時などに、本人以外に未登録の鍵を託して施錠・開錠をしてもらうことは不可能である。
【００２８】
また、生体認証のための測定に時間がかかったり、測定誤差や人間の側での変化（風邪で声がかれたとか、指や手、目を怪我したなど）で認証をパスできなくなることもある。それを考慮して測定誤差を広めに見込むと、今度は逆に、他人でも偶然に認証をパスする可能性が生じてしまう。さらに、生体認証を行う装置のコストが比較的高いことも、広く普及することを妨げる要因である。
【００２９】
従来技術のこのような課題を鑑み、本発明の目的は、事前に利用者の個人登録が不要でありながら、セキュリティ性が高い機械式・赤外線式併用二重錠前システムを提供することである。さらには、鍵を紛失したり、盗難にあった場合でも、利用者自身ですぐに電子鍵信号を変更することにより、変更前に使っていた鍵を無効にすることが可能な、よりセキュリティ性の高い機械式・赤外線式併用二重錠前システムを提供することである。
【００３０】
【課題を解決するための手段】
上記課題を解決するため、本発明における機械式・赤外線式併用二重錠前システムの鍵は、
機械式の鍵の鍵穴に差し込む機械式鍵部に設けられ、機械式鍵部の外部に対して赤外線を放射する赤外線発光手段と、
外部からの操作に応じてトリガー信号を発生する操作手段と、
電子鍵データを保存する電子鍵情報記憶手段と、
前記操作手段からのトリガー信号に応答して前記電子鍵情報記憶手段から前記電子鍵データを読み出し、駆動信号に変換するエンコード手段と、
前記エンコード手段により変換された駆動信号に基づいて前記赤外線発光手段を駆動する駆動手段と、
これらに電源を供給する電源供給手段とを備え、
赤外線式鍵としても機能することを特徴とする機械式・赤外線式併用二重鍵としている。
【００３１】
すなわち、機械式ロックの鍵と赤外線式電子ロックの鍵を一体化しており、１つの鍵で機械式ロックと赤外線式電子ロックの両方の開錠と施錠を行うことができる。赤外線発光手段は、固有形状をした機械式鍵部の先端または側面に、１つまたは複数が埋め込まれており、鍵に備えられた操作手段の所定操作により、鍵穴の内部において赤外線を放射する。
【００３２】
これにより、合鍵の作製が困難なものとなり、セキュリティ性を高めている。
【００３３】
また、本発明における機械式・赤外線式併用二重錠前システムは、
前記赤外線発光手段が前記機械式鍵部の先端部または側面部に設けられており、
前記併用二重鍵を差し込む鍵穴の内奥部または側面部であって、前記機械式鍵部先端の前記赤外線発光手段と対峙する位置に配置された赤外線受光手段と、
前記赤外線受光手段の出力から電子鍵データに変換するデコード手段と、
予め親鍵データを保存しておく親鍵情報記憶手段と、
指令信号に応じて開錠または施錠を行う電子ロックと、
前記デコード手段で変換された電子鍵データと前記親鍵情報記憶手段に保存された前記親鍵データとを比較して、前記電子鍵データと前記親鍵データが一致したときに、前記電子ロックに対して開錠指令信号を送信する電子鍵データ比較判定手段とを備えたことを特徴とする機械式・赤外線式併用二重錠前システムとしている。
【００３４】
あるいは、前記赤外線発光手段が前記機械式鍵部の側面部に設けられているときは、赤外線受光手段を、前記併用二重鍵を差し込む鍵穴の側面部であって前記機械式鍵部先端の前記赤外線発光手段と対峙する位置に直接配置するのではなく、その位置には赤外線を透過させる貫通穴を設けるか、赤外線を透過させるような材質を用いておき、機械式ロック部分が開錠される位置まで移動されたときにこの赤外線が照射されることになる位置に配置してもよい。
【００３５】
これにより、機械式ロックの開錠ができた場合のみ、赤外線式電子ロックの開錠が可能となるので、２重ロックとして機能してセキュリティ性を高めている。
【００３６】
また、前記赤外線発光手段は前記機械式鍵部の側面部に複数設けてもよいし、前記機械式鍵部の先端部と側面部の両方に設けてもよい。この場合は、前記併用二重鍵を差し込む鍵穴の内部で、複数の前記赤外線発光手段に対峙するそれぞれの位置に同数の赤外線受光手段を配置する。さらに、前記操作手段からのトリガー信号に応答して、前記エンコード手段により前記電子鍵情報記憶手段から電子鍵データが読み出されて前記駆動手段に送出されるようにするとともに、前記複数の赤外線受光手段からの出力から前記デコード手段により変換された各々の電子鍵データを前記親鍵情報記憶手段に保存されている親鍵データと比較して、両者がすべて一致するときのみ前記電子ロックに対して開錠指令信号を送信するようにしてもよい。
【００３７】
なお、前記電子鍵情報記憶手段に、前記複数の赤外線発光手段の各々に対応する相異なる複数の電子鍵データを保存しておくとともに、前記親鍵情報記憶手段に予めこれらに対応した複数の親鍵データを保存しておくようにしてもよい。
【００３８】
これにより、赤外線信号パターンの複雑さを増し、赤外線信号パターンの複製を困難にできる。
【００３９】
あるいは、前記複数の赤外線受光手段からの出力から前記デコード手段により変換された各々の電子鍵データを前記親鍵情報記憶手段に保存されているそれぞれの親鍵データと比較する際、それぞれの比較結果がすべて一致するときだけでなく、少なくとも所定数以上が一致するときにも前記電子ロックに対して開錠指令信号を送信するようにしてもよい。例えば、１つの比較結果は一致していなくても、残りすべての比較結果が一致していれば、前記電子ロックに対して開錠指令信号を送信するようにしてもよい。
【００４０】
これにより、何らかの原因で一部の赤外線受光手段が正常に機能しなくなった場合でも、正規の機械式・赤外線式併用二重鍵を使用すれば開錠が可能であり、セキュリティをあまり低下させることなく、正規利用者の利便性を損ねないようにできる。
【００４１】
また、本発明における機械式・赤外線式併用二重錠前システムは、
前記電子鍵情報記憶手段には開錠用電子鍵データと、これとは異なる施錠用電子鍵データが保存されており、
前記親鍵情報記憶手段には、前記開錠用電子鍵データに対応する開錠用親鍵データと、前記施錠用電子鍵データに対応する施錠用親鍵データとが保存されており、
前記操作手段は第１の操作手段と第２の操作手段とからなり、
前記エンコード手段は、前記第１の操作手段が操作されたときには前記電子鍵情報記憶手段から開錠用電子鍵データを読み出して駆動信号に変換するとともに、前記第２の操作手段が操作されたときには前記電子鍵情報記憶手段から施錠用電子鍵データを読み出して駆動信号に変換し、
前記電子鍵データ比較判定手段は、前記デコード手段により変換された電子鍵データが前記電子鍵情報記憶手段に保存されている開錠用親鍵データに一致するときには前記電子ロックに対して開錠指令信号を送信し、前記デコード手段により変換された電子鍵データが前記電子鍵情報記憶手段に保存されている施錠用親鍵データに一致するときには前記電子ロックに対して施錠指令信号を送信することを特徴とする機械式・赤外線式併用二重錠前システムとしてもよい。
【００４２】
あるいは、前記操作手段は１つのままにしておき、前記操作手段が操作されるごとに交互に、前記電子鍵情報記憶手段から前記開錠用電子鍵データまたは前記施錠用電子鍵データを読み出すようにしてもよい。
【００４３】
これにより、利用者は開錠操作と施錠操作を使い分けることができる。
【００４４】
また、本発明における機械式・赤外線式併用二重錠前システムは、
機械式ロックが開錠状態にあるか施錠状態にあるかを検出する機械式ロック状態検出手段を有し、
前記電子鍵データ比較判定手段は、前記デコード手段で変換された電子鍵データと前記親鍵情報記憶手段に保存された前記親鍵データを比較して、前記電子鍵データと前記親鍵データが一致したとき、前記機械式ロック状態検出手段が、機械式ロックが開錠状態であることを検出している場合には、前記電子ロックに対して開錠指令信号を送信し、前記機械式ロック状態検出手段が、機械式ロックが施錠状態であることを検出している場合には、前記電子ロックに対して施錠指令信号を送信することを特徴とする機械式・赤外線式併用二重錠前システムとしてもよい。
【００４５】
これにより、利用者は開錠操作と施錠操作を意識して使い分けなくてもよく、操作を誤って開錠するつもりなのに施錠したり、逆に施錠するつもりなのに開錠してしまうことを防ぐことができる。
【００４６】
あるいは、機械式ロック状態検出手段によって機械式ロックが開錠状態から施錠状態に変化したことを検出すると、前記電子ロックに対して施錠指令信号を送信するようにしてもよい。
【００４７】
これにより、機械式の鍵による施錠を行うだけで電子ロックも自動的に施錠されるので、機械式の鍵を施錠するごとに電子ロックも毎回施錠する操作が不要になり、利用者の利便性が増す。また、利用者が電子ロックの施錠を忘れたために、電子ロックが開錠状態のままで放置されることも防ぐことができる。
【００４８】
また、本発明における機械式・赤外線式併用二重錠前システムは、
前記機械式・赤外線式併用二重鍵は、外部からの操作に応じて第１のトリガー信号を発生する通信用操作手段と、
情報の送受信を行う第１の通信手段と前記通信用操作手段からの第１のトリガー信号に応答して前記第１の通信手段による通信を行い、受信した情報に基づいて前記電子鍵情報記憶手段に保存されている電子鍵データを更新する電子鍵情報更新手段とをさらに備えており、
前記電子鍵データ比較判定手段は、外部からの操作に応じて第２のトリガー信号を発生する電子鍵更新用操作手段と、
前記第１の通信手段との間で情報の送受信を行う第２の通信手段と、
前記電子鍵更新用操作手段の操作により発生した第２のトリガー信号に応答して新しい電子鍵データを生成し、前記親鍵情報記憶手段に保存されている親鍵データを更新するとともに、生成した電子鍵データを前記第２の通信手段により送信する電子鍵情報生成手段とを備えたことを特徴とする機械式・赤外線式併用二重錠前システムとしてもよい。
【００４９】
これにより、利用者自身で電子鍵データの更新を行うことができるようになる。もし、機械式・赤外線式併用二重鍵を紛失した場合でも、電子鍵データの更新を行えば、紛失した機械式・赤外線式併用二重鍵の電子鍵データを無効にすることができる。また、予備の機械式・赤外線式併用二重鍵に対して更新後の電子鍵データを反映させることにより、有効利用することが可能となる。
【００５０】
また、前記電子鍵情報生成手段により前記親鍵情報記憶手段に保存されている親鍵データを更新する前に、前記親鍵情報記憶手段に保存されている更新前親鍵データを記憶する更新前親鍵情報記憶手段と、記録手段を備え、前記デコード手段で変換された電子鍵データと前記更新前親鍵情報記憶手段に記憶された前記更新前親鍵データとを比較して、前記電子鍵データと前記更新前親鍵データが一致したときに、前記記録手段による記録を行うようにしてもよい。
【００５１】
なお、前記記録手段としては、前記電子鍵データと前記更新前親鍵データが一致したときがあることを単に示すだけの警告ランプのようなものでもよいし、カレンダーと時計を内蔵して、前記電子鍵データと前記更新前親鍵データが一致した日時を記録するようにしてもよい。映像の録画装置を内蔵している場合であれば、前記電子鍵データと前記更新前親鍵データが一致した時点から所定時間の映像を録画して保存するようにしてもよい。
【００５２】
これにより、電子鍵データの更新を行う前の機械式・赤外線式併用二重鍵による不正開錠が行われた可能性があることや、その日時、あるいはそのときの状況などを録画保存された映像により知ることができる。
【００５３】
あるいは、記録手段の代わりに通報手段を備えておき、前記電子鍵データと前記更新前親鍵データが一致したときに、前記通報手段による通報を行うようにしてもよい。なお、前記通報手段としては、電話や電子メール、あるいはネットワークを通じた映像の伝送などが考えられるが、これらに限るものではない。
【００５４】
これにより、電子鍵データの更新を行う前の機械式・赤外線式併用二重鍵による不正開錠が行われた可能性があることを、できるだけ早く、適切な通報先へ伝えることができる。
【００５５】
あるいは、記録手段や通報手段の代わりに警告手段を備えておき、前記電子鍵データと前記更新前親鍵データが一致したときに、前記警告手段による警告を行うようにしてもよい。なお、前記警告手段としては、防犯ベルや警告灯などが考えられるが、これらに限るものではない。
【００５６】
これにより、電子鍵データの更新を行う前の機械式・赤外線式併用二重鍵による不正開錠が行われた可能性がある場合、そのことを住宅の周囲の住民や通行人に警告することができるようになる。
【００５７】
なお、これらの記録手段、通報手段、警告手段はいずれか１つのみに限る必要はなく、組み合わせて使用するようにしてもよい。
【００５８】
【発明の実施の形態】
以下、本発明の実施の形態を、図面を参照して説明する。
【００５９】
＜第１実施形態＞
図１は本発明の第１実施形態における機械式・赤外線式併用二重鍵１００の概観図である。
【００６０】
機械式・赤外線式併用二重鍵１００は、金属製の細長い板状で、鍵穴に差し込むための機械式鍵部１１０と、樹脂製で側面形状が角の丸い正方形であり、利用者が機械式・赤外線式併用二重鍵１００を使う際に保持するところとなるグリップ部１２０とで構成されている。
【００６１】
機械式鍵部１１０には、機械式鍵部１１０の先端から根元近くまでのほぼ全長に渡って、平らな側面のほぼ中央部に細い一定幅の凹状の鍵溝１１０ａが形成されている。機械式鍵部１１０の両側端面には、機械式・赤外線式併用二重鍵１００ごとに異なる固有形状で、深さや幅が異なる谷部と幅が異なる山部が交互に複数連なる鍵山１１０ｂが形成されている。
【００６２】
機械式・赤外線式併用二重鍵１００を、その機械式鍵部１１０に対応する鍵穴に正しく差し込んで回転させることにより、不図示の機械式ロックの施錠・開錠ができるようになっている。
【００６３】
また、機械式鍵部１１０の先端部分の表面には赤外線発光手段１１１が埋め込まれており、鍵穴の内部で赤外線を発光することができるように配置されている。赤外線発光手段１１１としては、例えば、赤外線発光ダイオードが考えられるが、これに限るものではない。
【００６４】
グリップ部１２０の側面には押しボタン状の操作手段１２１が備えられている。機械式・赤外線式併用二重鍵１００の利用者が操作手段１２１を操作することにより、機械式鍵部１１０の先端部分の表面に埋め込まれた赤外線発光手段１１１から所定の信号パターンの赤外線が送出され、これにより不図示の電子ロックの施錠・開錠ができるようになっている。なお、操作手段１２１の操作によって赤外線発光手段１１１から所定の信号パターンの赤外線が送出される仕組みについては、図２を参照して次に説明する。
【００６５】
図２は本発明の第１実施形態における機械式・赤外線式併用二重鍵１００のブロック図である。
【００６６】
赤外線発光手段１１１は機械式・赤外線式併用二重鍵１００の機械式鍵部１１０の先端部分の表面に埋め込まれている。また、機械式・赤外線式併用二重鍵１００のグリップ部１２０には、外部から操作可能で、外部からの操作に応じてトリガー信号を発生する操作手段１２１が設けられており、グリップ部１２０の内部には、電子鍵データを保存する電子鍵情報記憶手段１２４と、操作手段１２１の操作により発生するトリガー信号に応答して電子鍵情報記憶手段１２４から電子鍵データを読み出し、駆動信号に変換するエンコード手段１２３と、エンコード手段１２３により変換された駆動信号に基づいて赤外線発光手段１１１を駆動する駆動手段１２２と、これらに電源を供給する電源供給手段１２５とが備えられている。電源供給手段１２５としては、例えばボタン型の電池が考えられるが、これに限るものではない。
【００６７】
利用者が機械式・赤外線式併用二重鍵１００のグリップ部１２０に備えられた操作手段１２１を操作すると、トリガー信号が発生する。このトリガー信号に応答して、エンコード手段１２３は電子鍵情報記憶手段１２４から電子鍵データを読み出し、赤外線発光手段１１１を駆動するための駆動信号に変換して駆動手段１２２に送出する。駆動手段１２２は、エンコード手段１２３から送出されてきた駆動信号に基づいて赤外線発光手段１１１を駆動する。このようにして、操作手段１２１の操作によって赤外線発光手段１１１から所定の信号パターンの赤外線が送出されるようになっている。
【００６８】
＜第２実施形態＞
図３は本発明の第２実施形態における機械式・赤外線式併用二重鍵１００の概観図である。なお、第２実施形態は、次に述べる点を除いては第１実施形態（図１参照）と同一であるので、同じ構成部材には同じ符号を付すこととし、ここでは第１実施形態との相違点のみについて説明する。
【００６９】
第２実施形態の機械式・赤外線式併用二重鍵１００は、グリップ部１２０に内蔵された電源供給手段１２５を充電式としている。さらに、グリップ部１２０の表面に充電用の一対の電極１２６を設け、それぞれの電極１２６がグリップ部１２０の内部で電源供給手段１２５に電気的に接続されている。
【００７０】
電源供給手段１２５に対する充電が必要な場合は、機械式・赤外線式併用二重鍵１００の外部の不図示の電源を、グリップ部１２０の表面に設けられた一対の電極１２６を介して、グリップ部１２０の内部に備えられた電源供給手段１２５に電気的に接続する。これにより、電源供給手段１２５の充電が行われる。
【００７１】
なお、受電用の電極１２６の位置や形状は、図３に示した位置や形状に限るわけではない。例えば、金属製の機械式鍵部１１０を一方の電極と兼用し、他方の電極１つのみをグリップ部１２０の表面に設けてもよい。
【００７２】
＜第３実施形態＞
図４は本発明の第３実施形態における機械式・赤外線式併用二重錠前システム１の概念図であり、図５は本発明の第３実施形態における機械式・赤外線式併用二重錠前システム１を構成する機械式ロック２１０および電子ロック２２０を有する錠２００と、電子ロック２２０に電気的に接続されている比較判定部３００との関係を示すブロック図である。
【００７３】
なお、第３実施形態の機械式・赤外線式併用二重鍵１００は図４では簡略化されているが、図１を参照して説明した第１実施形態と同一であるので、ここでの機械式・赤外線式併用二重鍵１００についての説明の一部で図１も参照する。
【００７４】
本発明の第３実施形態の機械式・赤外線式併用二重錠前システム１は、機械式・赤外線式併用二重鍵１００と、開口部の開閉を規制可能な位置に取り付けられた機械式ロック２１０および電子ロック２２０を有する錠２００と、電子ロック２２０に電気的に接続されている比較判定部３００とで構成されている。錠２００の構成要素は、例えば、住宅の玄関のドアに取り付けられる場合には、ドア本体内部とドアノブ内部に分けて、あるいはドア本体内部にまとめて配置されることが多い。
【００７５】
図４に示すように、機械式ロック２１０は金属製の長方形柱状のロック部材で、取り付け位置から突出して開口部を閉じた状態に固定する閉位置と、取り付け位置に収納されて開口部を開くことを可能とする開位置とを移動可能であり、機械式・赤外線式併用二重鍵１００を鍵穴に差し込んだ状態における所定の機械的操作により、開位置と閉位置のいずれか一方に位置させられる。所定の機械的操作とは、例えば、鍵穴に差し込んだ状態で機械式・赤外線式併用二重鍵１００を時計方向あるいは反時計方向に、９０度あるいは１８０度回転させる操作が考えられるが、これに限るものではない。
【００７６】
電子ロック２２０も機械式ロック２１０と同様に金属製の長方形柱状のロック部材を有し、指令信号に応じて、前記ロック部材を取り付け位置から突出して開口部を閉じた状態に固定する閉位置と、取り付け位置に収納されて開口部を開くことを可能とする開位置とを移動可能である。
【００７７】
機械式・赤外線式併用二重鍵１００（図１参照）を鍵穴に差し込んだ状態において、グリップ部１２０に備えられた操作手段１２１に対して所定の操作を行うと、機械式・赤外線式併用二重鍵１００の機械式鍵部１１０の先端部分の表面に埋め込まれた赤外線発光手段１１１により所定の信号パターンの赤外線が送出される。送出された赤外線の信号パターンの情報は比較判定部３００に電気的に伝達され、比較判定部３００は伝達された情報に基づいて信号パターンの判定を行い、所定条件が満たされるときに電子ロック２２０に対して開錠または施錠を指令する信号を送出する。これにより、電子ロック２２０は開位置と閉位置のいずれか一方に位置させられる。なお、比較判定部３００と電子ロック２２０の関係の詳細については後述する。
【００７８】
また、機械式ロック２１０と電子ロック２２０の少なくとも一方が閉位置にあるとき、開口部は閉じた状態に固定され、機械式ロック２１０と電子ロック２２０がともに開位置にあるときのみ、開口部を開くことが可能となる。
【００７９】
次に、機械式・赤外線式併用二重錠前システム１における機械式ロック２１０および電子ロック２２０を有する錠２００と、電子ロック２２０に電気的に接続されている比較判定部３００との関係の詳細を、図５を参照して説明する。
【００８０】
錠２００は、機械式・赤外線式併用二重鍵１００の機械式鍵部１１０の先端部分の表面に埋め込まれた赤外線発光手段１１１に対峙する鍵穴の内部奥の位置に配置され、赤外線発光手段１１１から送出される赤外線を受光する赤外線受光手段２２１と、赤外線受光手段２２１からの出力を電子鍵データに変換するデコード手段２２２と、指令信号に応じて開錠または施錠を行う電子ロック２２０と、機械式ロック２１０とを有している。
【００８１】
一方、比較判定部３００は、予め親鍵データを保存しておく親鍵情報記憶手段３０２と、電子鍵データ比較判定手段３０１とを有している。
【００８２】
また、錠２００のデコード手段２２２は、比較判定部３００の電子鍵データ比較判定手段３０１と電気的に接続されているとともに、比較判定部３００の電子鍵データ比較判定手段３０１は錠２００の電子ロック２２０と電気的に接続されている。
【００８３】
機械式・赤外線式併用二重鍵１００を鍵穴に差し込んだ状態において、グリップ部１２０に備えられた操作手段１２１に対して所定の操作を行うと、機械式鍵部１１０の表面に埋め込まれた赤外線発光手段１１１により所定の信号パターンの赤外線が送出される。送出された所定の信号パターンの赤外線は、錠２００のデコード手段２２２によって電子鍵データに変換され、比較判定部３００の電子鍵データ比較判定手段３０１に伝達される。
【００８４】
電子鍵データ比較判定手段３０１は、錠２００のデコード手段２２２によって変換された電子鍵データを、親鍵情報記憶手段３０２に予め保存されている親鍵データと比較し、両者が一致した場合は、錠２００の電子ロック２２０に対して開錠指令信号を送出する。これにより、電子ロック２２０は開錠を行う。
【００８５】
＜第４実施形態＞
図６は本発明の第４実施形態における機械式・赤外線式併用二重鍵１００の概観図であり、図７は錠２００の鍵穴２１３と赤外線受光手段２２１の位置関係の概念を示す図で、赤外線受光手段２２１を含む断面を鍵穴２１３の外側から見た図である。
【００８６】
第１実施形態および第２実施形態についての説明では、赤外線発光手段１１１は機械式・赤外線式併用二重鍵１００の機械式鍵部１１０先端部分の表面に埋め込まれていたが、この位置に限るものではない。本発明の第４実施形態では、赤外線発光手段１１１を機械式・赤外線式併用二重鍵１００の機械式鍵部１１０の側面の鍵溝１１０ａ内部に埋め込んだ構成としている。
【００８７】
なお、第４実施形態の機械式・赤外線式併用二重鍵１００については、次に述べる点を除いては第１実施形態（図１参照）と同一であるので、同じ構成部材には同じ符号を付すこととし、ここでは第１実施形態との相違点のみについて説明する。また、第４実施形態の錠２００については、次に述べる点を除いては第３実施形態と同一であるので、ここでは第３実施形態との相違点のみについて説明する。
【００８８】
図６に示すように、本発明の第４実施形態では、赤外線発光手段１１１は、機械式・赤外線式併用二重鍵１００の機械式鍵部１１０の平らな側面のほぼ中央部に細く一定幅で凹状に形成された鍵溝１１０ａの内部１箇所の表面に埋め込まれており、鍵穴の内部で側面方向に赤外線を発光することができるように配置されている。
【００８９】
図７に示すように、錠２００は、錠２００を取り付けてあるドア本体やドアノブの内部に固定されている円筒状のシリンダー外筒２１１と、シリンダー外筒の内面に接して回動可能な円柱状のシリンダー内筒２１２を有しており、シリンダー内筒２１２には、その内部中央部に上下方向に細長い断面長方形状の鍵穴２１３が形成されている。この鍵穴２１３の内部側面には、機械式・赤外線式併用二重鍵１００の機械式鍵部１１０に埋め込まれた赤外線発光手段１１１に対峙する位置に凹状の浅い赤外線受光手段取付穴２１４が形成されており、この赤外線受光手段取付穴２１４の中に赤外線受光手段２２１が配置されている。
【００９０】
これにより、赤外線受光手段２２１は、機械式・赤外線式併用二重鍵１００の機械式鍵部１１０に埋め込まれた赤外線発光手段１１１からの赤外線を受光することが可能になる。
【００９１】
また、赤外線受光手段２２１をこのような位置に配置することで、何者かが不正に開錠しようとして鍵穴に針金や特殊な工具などを突っ込んだ場合でも、赤外線受光手段２２１が損傷を受ける可能性を低くすることができる。
【００９２】
＜第５実施形態＞
第４実施形態では、赤外線受光手段２２１を鍵穴２１３の側面に形成された凹状の浅い赤外線受光手段取付穴２１４の内部に配置していたが、これに限るものではない。本発明の第５実施形態では、この位置にシリンダー外筒２１１まで到達する貫通穴を形成し、この貫通穴を通して赤外線発光手段１１１からの赤外線を受光できるシリンダー外筒２１１の内面に凹状の浅い穴を形成して、その内部に赤外線受光手段２２１を配置した構成としている。
【００９３】
図８（ａ）、（ｂ）は錠２００の鍵穴２１３と赤外線受光手段２２１の位置関係の概念を示す図で、赤外線受光手段２２１を含む断面を鍵穴の外側から見た断面図である。図８（ａ）は機械式ロック２１０（図４参照）が開位置にある場合で、鍵穴２１３は両端を上下方向に垂直に向けている。図８（ｂ）は機械式ロック２１０が閉位置にある場合で、シリンダー内筒２１２が図８（ａ）における位置に対して時計回りに９０度回転した状態であり、鍵穴２１３は両端を水平方向に向けている。
【００９４】
錠２００は、錠２００を取り付けてあるドア本体やドアノブの内部に固定されている円筒状のシリンダー外筒２１１と、シリンダー外筒２１１の内面に接して回動可能な円柱状のシリンダー内筒２１２を有しており、シリンダー内筒２１２には、その内部中央部に上下方向に細長い断面長方形状の鍵穴２１３が形成されている。この鍵穴２１３の側面には、機械式・赤外線式併用二重鍵１００の機械式鍵部１１０の鍵溝１１０ａの内部１箇所の表面に埋め込まれた赤外線発光手段１１１に対峙する位置に、シリンダー外筒２１１まで到達する細長い直線状の貫通穴２１５が形成されている。
【００９５】
図８（ａ）に示すように、機械式ロック２１０が開位置にある場合では貫通穴２１５の両端は水平方向に向いている。一方、図８（ｂ）に示すように、機械式ロック２１０が閉位置にある場合では貫通穴２１５の両端は垂直方向を向いており、下端はシリンダー外筒２１１の内面に達している。機械式ロック２１０が閉位置にある場合における貫通穴２１５の下端に対峙するシリンダー外筒２１１の内面に凹状の浅い赤外線受光手段取付穴２１６が形成されており、その内部に赤外線受光手段２２１が配置されている。
【００９６】
これにより、赤外線受光手段２２１は、機械式ロック２１０が閉位置にある場合にのみ、両端を垂直方向に向けた貫通穴２１５を通して赤外線発光手段１１１からの赤外線を受光することが可能になる。機械式ロック２１０が開位置にある場合では、貫通穴２１５の両端は水平方向に向いており、赤外線受光手段２２１は赤外線発光手段１１１からの赤外線を受光することは不可能である。すなわち、機械式ロック２１０が閉位置にある場合にのみ、機械式・赤外線式併用二重鍵１００の操作手段１２１の所定操作が有効となって、電子ロック２２０（図４参照）を移動させることが可能になる。
【００９７】
また、赤外線受光手段２２１をこのような位置に配置することで、何者かが不正に開錠しようとして鍵穴に針金や特殊な工具などを突っ込んだ場合でも、赤外線受光手段２２１が損傷することを防止することができる。
【００９８】
上記の第１実施形態から第５実施形態についての説明ではすべて、機械式・赤外線式併用二重鍵１００の機械式鍵部１１０の表面に埋め込まれた赤外線発光手段１１１は１個のみで、錠２００内部の対峙する位置に配置された赤外線受光手段２２１も１個のみであったが、これに限るものではない。
【００９９】
＜第６実施形態＞
図９は本発明の第６実施形態における機械式・赤外線式併用二重鍵１００の概観図である。図１０は本発明の第６実施形態における機械式・赤外線式併用二重鍵１００のブロック図であり、図１１は本発明の第６実施形態における機械式・赤外線式併用二重錠前システム１を構成する機械式ロック２１０および電子ロック２２０を有する錠２００と、電子ロック２２０に電気的に接続されている比較判定部３００との関係を示すブロック図である。
【０１００】
ここで、本発明の第６実施形態では、複数の赤外線発光手段１１１を機械式・赤外線式併用二重鍵１００の機械式鍵部１１０の表面に埋め込むとともに、鍵穴２１３の内部において、複数の赤外線発光手段１１１に対峙する位置にそれぞれ赤外線受光手段２２１を配置している。
【０１０１】
なお、第６実施形態の機械式・赤外線式併用二重鍵１００については、次に述べる点を除いては第１実施形態（図１参照）または第４実施形態（図６参照）と同一であるので、同じ構成部材には同じ符号を付すこととし、ここではそれらとの相違点のみについて説明する。また、第６実施形態の錠２００については、次に述べる点を除いては第３実施形態（図５参照）と同一であるので、同じ構成部材には同じ符号を付すこととし、ここではそれらとの相違点のみについて説明する。
【０１０２】
図９に示すように、赤外線発光手段１１１は、機械式・赤外線式併用二重鍵１００の機械式鍵部１１０の先端部分の表面に１個、および機械式鍵部１１０の側面の鍵溝１１０ａ内部に３個の合計４個が配置されている。
【０１０３】
もちろん、配置する赤外線発光手段１１１の個数はこれに限るものではない。多数の赤外線発光手段１１１を使用すれば、安全性をより向上させることができ、また、何らかの原因で複数の赤外線受光手段２２１の一部が損傷しても、残りの正常な赤外線受光手段２２１の出力に基づいて電子鍵データの比較判定を行うことが可能である。ただし、一方ではコストアップを招くとともに、機械式・赤外線式併用二重鍵１００の構成が複雑になってしまうので、安全性や利便性、コスト面などを考慮して使用する個数を決定するのが望ましい。
【０１０４】
また、赤外線発光手段１１１の配置位置もこれに限るものではない。赤外線発光手段１１１は、機械式鍵部１１０の先端部分に必ずしも配置する必要はなく、すべてを機械式鍵部１１０の側面の鍵溝１１０ａ内部に配置してもよい。配置の間隔も一定である必要もない。また、機械式鍵部１１０の片面のみに配置する必要はなく、機械式鍵部１１０の両面に分けて配置してもよい。
【０１０５】
錠２００においては、鍵穴２１３の内部奥で、機械式・赤外線式併用二重鍵１００の機械式鍵部１１０の先端部分の表面に埋め込まれた赤外線発光手段１１１に対峙する位置に赤外線受光手段２２１を配置するとともに、鍵穴２１３の内部側面で、機械式・赤外線式併用二重鍵１００の機械式鍵部１１０の側面の鍵溝１１０ａ内部に配置された複数の赤外線発光手段１１１に対峙する位置に凹状の浅い穴を形成し、その穴の中にも赤外線受光手段２２１を配置する。
【０１０６】
あるいは、鍵穴２１３の内部側面については、機械式・赤外線式併用二重鍵１００の機械式鍵部１１０の側面の鍵溝１１０ａ内部に配置された複数の赤外線発光手段１１１に対峙する位置に第５実施形態と同様に貫通穴２１５を形成し、貫通穴２１５の外側端部に対峙するシリンダー外筒２１１の内面に凹状の浅い穴を形成して、その中に赤外線受光手段２２１を配置してもよい。
【０１０７】
あるいは、機械式・赤外線式併用二重鍵１００の機械式鍵部１１０の側面の鍵溝１１０ａ内部に配置された複数の赤外線発光手段１１１のうちのいくつかに対しては、鍵穴２１３の内部側面の対峙位置に凹状の浅い穴を形成し、その穴の中に赤外線受光手段２２１を配置するとともに、複数の赤外線発光手段１１１のうちの残りのものに対しては、対峙位置に貫通穴２１５を形成し、貫通穴２１５の外側端部に対峙するシリンダー外筒２１１の内面に凹状の浅い穴を形成して、その中に赤外線受光手段２２１を配置してもよい。
【０１０８】
図１０は本発明の第６実施形態における機械式・赤外線式併用二重鍵１００のブロック図である。
【０１０９】
機械式・赤外線式併用二重鍵１００のグリップ部１２０に備えられた操作手段１２１を操作することにより、機械式・赤外線式併用二重鍵１００の機械式鍵部１１０の表面に埋め込まれた複数の赤外線発光手段１１１から所定の信号パターンの赤外線が送出される仕組みについては、次に述べる点を除いては、図２を参照して説明した第１実施形態と同一である。ここではそれらとの相違点のみについて説明し、他の部分については説明を省略する。
【０１１０】
駆動手段１２２は複数の赤外線発光手段１１１を駆動することが可能で、エンコード手段１２３により変換された駆動信号に基づいて赤外線発光手段１１１を駆動することができるようになっている。利用者が機械式・赤外線式併用二重鍵１００のグリップ部１２０に備えられた操作手段１２１を操作すると、複数の赤外線発光手段１１１から所定の信号パターンの赤外線が送出されるようになっている。
【０１１１】
なお、駆動手段１２２を複数の赤外線発光手段１１１を同時に駆動できるものとすれば、操作手段１２１の操作により、複数の赤外線発光手段１１１から同時に所定の信号パターンの赤外線が送出されるようになる。また、駆動手段１２２が複数の赤外線発光手段１１１を順次駆動するようにしておけば、操作手段１２１の操作により、複数の赤外線発光手段１１１から所定の信号パターンの赤外線が順次送出されるようになる。
【０１１２】
図１１は本発明の第６実施形態における機械式・赤外線式併用二重錠前システム１を構成する機械式ロック２１０および電子ロック２２０を有する錠２００と、電子ロック２２０に電気的に接続されている比較判定部３００との関係を示すブロック図である。
【０１１３】
デコード手段２２２は複数の赤外線受光手段２２１からの出力を電子鍵データに変換することが可能で、デコード手段２２２によって変換された複数の電子鍵データは、比較判定部３００の電子鍵データ比較判定手段３０１に伝達される。なお、複数の赤外線発光手段１１１から赤外線の信号パターンが同時に送出されるのか、順次送出されるのかに応じて、デコード手段２２２も対応させておく必要がある。
【０１１４】
比較判定部３００の電子鍵データ比較判定手段３０１は、デコード手段２２２によって変換された複数の電子鍵データを、親鍵情報記憶手段３０２に予め保存されている親鍵データと比較し、その結果に基づいて、錠２００の電子ロック２２０に対して開錠指令信号を送出するかどうかを判定する。
【０１１５】
判定方法としては、デコード手段２２２によって変換された複数の電子鍵データがすべて親鍵データと一致する場合のみ開錠指令信号を送出するのが、セキュリティの面からは最も望ましい。
【０１１６】
ただし、例えば、何者かが不正侵入をしようとして錠２００の内部に器具を挿入した際に、赤外線受光手段２２１の一部が損傷したとすると、その後から、正規の利用者が正しい機械式・赤外線式併用二重鍵１００を使用しても、開錠することは最早不可能になってしまい、その復旧には多くの時間や費用が必要になる。このことは、利便性の面からは最適とは言い難い。
【０１１７】
そこで、複数の赤外線受光手段２２１の出力から変換された電子鍵データのうち、所定数以上の電子鍵データが親鍵データに一致するときに開錠指令信号を送出するようにしてもよい。例えば、赤外線受光手段２２１が４個存在するのであれば、３個以上の電子鍵データが親鍵データに一致するときに開錠指令信号を送出するのである。こうすれば、安全性をあまり低下させることなく、利便性を向上させることが可能となる。もちろん、所定数をいくらにするかはこれに限るものではなく、安全性と利便性の兼ね合いで決定すればよい。
【０１１８】
以上の説明ではすべて、機械式・赤外線式併用二重鍵１００の機械式鍵部１１０の表面に埋め込まれた複数の赤外線発光手段１１１から同一の信号パターンが赤外線で送出されるとしていたが、赤外線発光手段１１１ごとに異なる信号パターンが赤外線で送出されるようにしてもよい。
【０１１９】
この場合は次のようにしておく必要がある。すなわち、機械式・赤外線式併用二重鍵１００の電子鍵情報記憶手段１２４には、予め複数の電子鍵データを記憶させておき、操作手段１２１の操作により発生するトリガー信号に応答して、エンコード手段１２３が電子鍵情報記憶手段１２４から複数の電子鍵データを読み出して、赤外線発光手段１１１を駆動するための複数の駆動信号に変換するようにしておく。駆動手段１２２は、エンコード手段１２３からの複数の駆動信号に基づいて、複数の赤外線発光手段１１１を赤外線発光手段１１１ごとに異なる信号パターンで駆動するようにしておく。
【０１２０】
さらに、錠２００の比較判定部３００の親鍵情報記憶手段３０２にも、予めこの複数の電子鍵データに対応する親鍵データを保存しておき、電子鍵データ比較判定手段３０１が、デコード手段２２２によって変換された複数の電子鍵データを、それぞれに該当する親鍵データと比較できるようにしておく。
【０１２１】
このようにすれば、使用する赤外線発光手段１１１の個数が同じでも、信号の組み合わせの複雑さが増すので、安全性を向上させることができる。
【０１２２】
これまでの第１実施形態から第６実施形態についての説明では、電磁ロックについては、主に開錠の場合を取り扱ってきたが、機械式・赤外線式併用二重鍵１００を実際に使用する際には施錠の場合も考慮する必要がある。
【０１２３】
そのためには、機械式・赤外線式併用二重鍵１００のグリップ部１２０に備えられた操作手段１２１の操作が、開錠と施錠のどちらに対応するのかをエンコード手段１２３が識別できるようにするとともに、識別結果に応じて、開錠信号と施錠信号とで異なる信号パターンの赤外線を赤外線発光手段１１１から送出できるようにしておく必要がある。
【０１２４】
さらに、比較判定部３００の親鍵情報記憶手段３０２にも、予め開錠信号と施錠信号に対応する親鍵データを保存しておき、電子鍵データ比較判定手段３０１が、デコード手段２２２によって変換された電子鍵データを開錠信号と施錠信号に該当する親鍵データと比較できるようにしておく。
【０１２５】
このようにすれば、赤外線発光手段１１１から送出された赤外線の信号パターンが開錠信号である場合には、電子鍵データ比較判定手段３０１からは電子ロック２２０に対して開錠指令信号が送出され、赤外線発光手段１１１から送出された赤外線の信号パターンが施錠信号である場合には、電子鍵データ比較判定手段３０１からは電子ロック２２０に対して施錠指令信号が送出されるようになる。
【０１２６】
＜第７実施形態＞
図１２は本発明の第７実施形態における機械式・赤外線式併用二重鍵１００の概観図である。
【０１２７】
ここで、本発明の第７実施形態では、操作手段１２１の操作が、開錠と施錠のどちらに対応するのかをエンコード手段１２３に識別させるための方法として、操作手段１２１を開錠用と施錠用でそれぞれ独立して設けるように構成している。
【０１２８】
なお、第７実施形態の機械式・赤外線式併用二重鍵１００については、次に述べる点を除いては第６実施形態（図９参照）と同一であるので、同じ構成部材には同じ符号を付すこととし、ここではそれらとの相違点のみについて説明する。第７実施形態の機械式・赤外線式併用二重鍵１００の電気的構成については、次に述べる点を除いては図１０に示した第６実施形態のブロック図と同一であるので、ここでは図１０を使用しながら相違点のみを説明する。
【０１２９】
グリップ部１２０の側面には、操作手段１２１として、押しボタン状の開錠用操作手段１２１ａと施錠用操作手段１２１ｂがそれぞれ備えられている。機械式・赤外線式併用二重鍵１００の利用者は、開錠するためには開錠用操作手段１２１ａを操作し、施錠するためには施錠用操作手段１２１ｂを操作する。
【０１３０】
また、開錠用操作手段１２１ａと施錠用操作手段１２１ｂはエンコード手段１２３に接続されており、エンコード手段１２３は、開錠用操作手段１２１ａと施錠用操作手段１２１ｂのうちのどちらが操作されたかを識別することが可能である。さらに、電子鍵情報記憶手段１２４には、開錠用の電子鍵データと施錠用の電子鍵データがそれぞれ保存されており、開錠用操作手段１２１ａが操作されたときには、エンコード手段１２３は電子鍵情報記憶手段１２４から開錠用の電子鍵データを読み出して駆動信号に変換し、施錠操作手段１２１ｂが操作されたときには、エンコード手段１２３は電子鍵情報記憶手段１２４から施錠用の電子鍵データを読み出して駆動信号に変換する。
【０１３１】
これにより、開錠用操作手段１２１ａが操作されたときには、赤外線発光手段１１１から開錠信号に対応する信号パターンの赤外線が送出され、施錠用操作手段１２１ｂが相されたときには、赤外線発光手段１１１から施錠信号に対応する信号パターンの赤外線が送出されるようになる。
【０１３２】
操作手段１２１の操作が、開錠と施錠のどちらに対応するのかをエンコード手段１２３に識別させるための別の方法としては、操作手段１２１は１個のままで、操作を１回する毎に開錠用と施錠用の役割を交互に持たせるようにしてもよい。すなわち、エンコード手段１２３に操作状態判別部を持たせ、操作手段１２１を操作する毎に開錠操作状態と施錠操作状態を交互に判別するようにしておく。
【０１３３】
そして、エンコード手段１２３の操作状態判別部は、最初は開錠操作待機状態であり、この状態で操作手段１２１が操作されると、エンコード手段１２３は、電子鍵情報記憶手段１２４から開錠用の電子鍵データを読み出して駆動信号に変換するとともに、操作状態判別部を施錠操作待機状態に推移させる。次にこの状態で操作手段１２１が操作されると、エンコード手段１２３は、電子鍵情報記憶手段１２４から施錠用の電子鍵データを読み出して駆動信号に変換するとともに、操作状態判別部を再び開錠操作待機状態に推移させる。もう一度操作手段１２１が操作されたときには、操作状態判別部は開錠操作待機状態であり、エンコード手段１２３は、電子鍵情報記憶手段１２４から開錠用の電子鍵データを読み出して駆動信号に変換するとともに、操作状態判別部を施錠操作待機状態に推移させる。このように、操作手段１２１の操作毎に、エンコード手段１２３は開錠用と施錠用の電子鍵データを交互に駆動信号に変換する。
【０１３４】
上記の第７実施形態についての説明では、開錠と施錠の両方の場合を扱うに当たって、機械式・赤外線式併用二重鍵１００の赤外線発光手段１１１から開錠信号または施錠信号に対応する信号パターンの赤外線が送出され、それに応じて比較判定部３００の電子鍵データ比較判定手段３０１が電子ロック２２０に対して開錠指令信号または施錠指令信号を送出するものであった。
【０１３５】
しかしながら、これとは異なる方法で開錠と施錠の両方の場合を扱うことも可能である。それには、機械式・赤外線式併用二重鍵１００の赤外線発光手段１１１からは常に同じ信号パターンの赤外線を送出するようにしておき、錠２００と比較判定部３００の側で何らかの方法で開錠と施錠のどちらを行うかを識別させ、その識別結果に応じて、電子ロック２２０に対して開錠指令信号または施錠指令信号を送出するようにすればよい。
【０１３６】
＜第８実施形態＞
図１３は本発明の第８実施形態における機械式・赤外線式併用二重錠前システム１を構成する機械式ロック２１０および電子ロック２２０を有する錠２００と、電子ロック２２０に電気的に接続されている比較判定部３００との関係を示すブロック図である。
【０１３７】
ここで、本発明の第８実施形態では、機械式ロックの位置が開位置であるか閉位置であるかを検出し、その検出結果に応じて開錠と施錠のどちらかを行わせるように構成している。
【０１３８】
なお、第８実施形態の錠２００については、次に述べる点を除いては第６実施形態（図１１参照）と同一であるので、同じ構成部材には同じ符号を付すこととし、ここではそれらとの相違点のみについて説明する。
【０１３９】
図１３に示すように、錠２００はさらに、機械式ロック２１０が開位置と閉位置のどちらにあるかを検出する機械式ロック位置検出手段２１７を有しており、その出力は比較判定部３００の電子鍵データ比較判定手段３０１に電気的に接続されている。機械式ロック位置検出手段２１７としては、機械的接点を用いたスイッチや、光学的な検出を行うフォトセンサなどが考えられるが、これに限るものではない。
【０１４０】
電子鍵データ比較判定手段３０１は、すでに説明した機能に加えて、機械式ロック位置検出手段２１７が検出した機械式ロック２１０の位置に連動して、電子ロック２２０に対して開錠指令信号または施錠指令信号を送出する機能を有している。この連動方法としてはいくつかの例が考えられる。
【０１４１】
例えば、デコード手段２２２によって変換された電子鍵データと、親鍵情報記憶手段３０２に予め保存されている親鍵データとを比較して両者が一致した場合、機械式ロック位置検出手段２１７の出力が、機械式ロック２１０が開位置にあることを示していれば、電子ロック２２０に対して開錠指令信号を送るようにする。一方、機械式ロック位置検出手段２１７の出力が、機械式ロック２１０が閉位置にあることを示していれば、電子ロック２２０に対して施錠指令信号を送るようにする。
【０１４２】
このようにすれば、機械式・赤外線式併用二重鍵１００の利用者が、機械式鍵部１１０を鍵穴に差し込んで回転させ、機械式ロック２１０の施錠を行った後に、機械式・赤外線式併用二重鍵１００のグリップ部１２０の操作手段１２１を操作すると、電子ロック２２０の施錠が行える。また、機械式ロック２１０の開錠を行った後に、機械式・赤外線式併用二重鍵１００のグリップ部１２０の操作手段１２１を操作すると、電子ロック２２０の開錠が行える。すなわち、開錠時であっても施錠時であっても、機械式・赤外線式併用二重鍵１００のグリップ部１２０の操作手段１２１に対しては、利用者は同一の操作を行うだけでよい。このため、利用者が開錠するつもりで間違って施錠操作を行ったためにドアを開けることができなくなったり、あるいは逆に、施錠するつもりで間違って開錠操作を行ったために電子ロック２２０が開位置のままで放置されることがなくなる。
【０１４３】
別の連動方法としては、機械式ロック位置検出手段２１７の出力を常時監視しておき、機械式ロック２１０の位置が開位置から閉位置に変化したことを検出すると、自動的に電子ロック２２０に対して施錠指令信号を送出するようにしてもよい。
【０１４４】
このようにすれば、機械式・赤外線式併用二重鍵１００の利用者が、機械式鍵部１１０を鍵穴に差し込んで回転させ、機械式ロック２１０の施錠を行うと、電子ロック２２０の施錠も自動的に行われることになる。機械式・赤外線式併用二重鍵１００の利用者は、機械式ロック２１０の施錠に引き続いて、機械式・赤外線式併用二重鍵１００のグリップ部１２０の操作手段１２１を操作して電子ロック２２０の施錠を毎回行う必要がなくなり、利便性が増す。また、利用者が電子ロック２２０の施錠を忘れたために、電子ロック２２０が開位置のままで放置されることもなくなるので、防犯の観点からも好ましい。
【０１４５】
上記の第３実施形態から第８実施形態に渡って説明を行った本発明の機械式・赤外線式併用二重錠前システム１を実際に採用する場合、比較判定部３００を独立の装置としてもよいが、それよりも既に備わっている既存の設備や装置に比較判定部３００を内蔵する方が合理的である。
【０１４６】
例えば、住宅に採用する場合、玄関のドアにモニター付のドアホンが備わっているのであれば、室内側に取り付けるドアホンの親機、あるいはドアホンコントローラに内蔵すればよい。また、ホームセキュリティシステムが備わった住宅であれば、ホームセキュリティシステム全体を制御するコントローラに内蔵してもよい。
【０１４７】
また、利用者自身で電子鍵データを更新できるようにしておけば、機械式・赤外線式併用二重鍵１００を紛失した場合でも、紛失した機械式・赤外線式併用二重鍵１００の電子鍵データを直ちに無効にすることができ、防犯の観点で好ましい。さらに、予備の機械式・赤外線式併用二重鍵１００に対して、更新後の電子鍵データを反映させることができれば、予備の機械式・赤外線式併用二重鍵１００も有効利用できる。
【０１４８】
なお、機械式・赤外線式併用二重鍵を紛失していない場合でも、電子鍵データを定期的に更新するようにしておけば、安全性をより高めることができる。
【０１４９】
＜第９実施形態＞
図１４は本発明の第９実施形態における機械式・赤外線式併用二重鍵１００の概観図であり、図１５は本発明の第９実施形態における機械式・赤外線式併用二重鍵１００のブロック図である。図１６は本発明の第９実施形態におけるドアホンコントローラ４００の概観図であり、図１７は本発明の第９実施形態における機械式・赤外線式併用二重錠前システム１を構成する機械式ロック２１０および電子ロック２２０を有する錠２００と、電子ロック２２０に電気的に接続されている比較判定部３００との関係を示すブロック図である。
【０１５０】
ここで、本発明の第９実施形態では、ドアホンコントローラに内蔵した比較判定部３００に電子鍵データを更新する手段を追加するとともに、比較判定部３００と機械式・赤外線式併用二重鍵１００間で赤外線による通信を可能として、更新後の電子鍵データを機械式・赤外線式併用二重鍵１００に反映させることができるように構成している。
【０１５１】
なお、第９実施形態の機械式・赤外線式併用二重鍵１００の概観については、次に述べる点を除いては第７実施形態（図１２参照）と同一であるので、同じ構成部材には同じ符号を付すこととし、ここではそれらとの相違点のみについて説明する。第９実施形態の機械式・赤外線式併用二重鍵１００の電気的構成については、次に述べる点を除いては第６実施形態（図１０参照）と同一であるので、同じ構成部材には同じ符号を付すこととし、ここではそれらとの相違点のみについて説明する。また、第９実施形態の錠２００については、次に述べる点を除いては第６実施形態（図１１参照）と同一であるので、同じ構成部材には同じ符号を付すこととし、ここではそれらとの相違点のみについて説明する。
【０１５２】
図１４に示すように、赤外線発光手段１１１は、機械式・赤外線式併用二重鍵１００の機械式鍵部１１０の先端部分の表面に１個と、機械式鍵部１１０の側面の鍵溝１１０ａ内部に１個の合計２個が配置されている。
【０１５３】
グリップ部１２０の側面には、押しボタン状の開錠用操作手段１２１ａと施錠用操作手段１２１ｂに加えて、ドアホンコントローラとの赤外線通信を開始するための押しボタン状の赤外線通信用操作手段１２１ｃが備えられている。さらに、グリップ部１２０の、機械式鍵部１１０が取り付いている側とは反対側の端面には、赤外線通信手段１２８の半球状の受光部と発光部が隣接して配置されている。赤外線通信の方式としては、例えばＩｒＤＡ規格に準拠した方式が考えられるが、これに限るものではない。
【０１５４】
図１５は本発明の第９実施形態における機械式・赤外線式併用二重鍵１００のブロック図である。
【０１５５】
開錠用操作手段１２１ａと施錠用操作手段１２１ｂはともにエンコード手段１２３に接続されており、エンコード手段１２３は開錠用操作手段１２１ａと施錠用操作手段１２１ｂのうちのどちらが操作されたかを識別することが可能である。電子鍵情報記憶手段１２４には、開錠用の電子鍵データと施錠用の電子鍵データがそれぞれ保存されており、開錠用操作手段１２１ａが操作されたときには、エンコード手段１２３は電子鍵情報記憶手段１２４から開錠用の電子鍵データを読み出して駆動信号に変換し、施錠操作手段１２１ｂが操作されたときには、エンコード手段１２３は電子鍵情報記憶手段１２４から施錠用の電子鍵データを読み出して駆動信号に変換する。
【０１５６】
また、機械式・赤外線式併用二重鍵１００のグリップ部１２０には、さらに、外部から操作可能で、外部からの操作に応じてトリガー信号を発生する赤外線通信用操作手段１２１ｃと、機械式・赤外線式併用二重鍵１００の外部との赤外線通信を行う赤外線通信手段１２８と、赤外線通信用操作手段１２１ｃの操作により発生したトリガー信号に応答して赤外線通信手段１２８による赤外線通信を開始するとともに、赤外線通信により受信した電子鍵データで電子鍵情報記憶手段１２４に保存されている電子鍵データを更新する電子鍵情報更新手段１２７とを備えている。
【０１５７】
なお、機械式・赤外線式併用二重鍵１００のこれらの手段に電源を供給する電源供給手段１２５は、図１５では省略している。
【０１５８】
図１６は本発明の第９実施形態におけるドアホンコントローラ４００の概観図である。
【０１５９】
ドアホンコントローラ４００は箱型の装置で、ドアホンコントローラ４００の正面が最も広い面である。ドアホンコントローラ４００の正面の上部には、正面の広さの半分よりやや小さい面積のテレビモニター４０１が配置されており、玄関のドアの外側に取り付けられた不図示のドアホン子機に内蔵されたカメラの映像を必要に応じて表示することができるようになっている。
【０１６０】
ドアホンコントローラ４００の正面のテレビモニター４０１の下の右側にはマイク４０２が、ドアホンコントローラ４００の正面のテレビモニター４０１の下の左側にはスピーカー４０３がそれぞれ配置されている。このマイク４０２とスピーカー４０３は、玄関のドアの外側に取り付けられた不図示のドアホン子機に内蔵されたスピーカーとマイクにそれぞれ電気的に接続されており、これにより、玄関のドアの外側にいる人物と会話をすることができるようになっている。
【０１６１】
ドアホンコントローラ４００の正面のマイク４０２の下部には、電子鍵データを更新するとともに、機械式・赤外線式併用二重鍵１００との赤外線通信を開始するための押しボタン状の電子鍵更新用操作手段３０４が配置されているとともに、ドアホンコントローラ４００の正面のスピーカー４０３の下部には、赤外線通信手段３０５の半球状の受光部と発光部が隣接して配置されている。
【０１６２】
図１７は本発明の第９実施形態における機械式・赤外線式併用二重錠前システム１を構成する機械式ロック２１０および電子ロック２２０を有する錠２００と、電子ロック２２０に電気的に接続されている比較判定部３００との関係を示すブロック図である。なお、比較判定部３００はドアホンコントローラ４００に内蔵されている。
【０１６３】
比較判定部３００はさらに、外部から操作可能で、外部からの操作に応じてトリガー信号を発生する電子鍵更新用操作手段３０４と、比較判定部３００の外部との赤外線通信を行う赤外線通信手段３０５と、電子鍵更新用操作手段３０４の操作により発生したトリガー信号に応答して新しい電子鍵データを生成し、親鍵情報記憶手段３０２に保存されている親鍵データを更新するとともに、生成した電子鍵データを赤外線通信手段３０５により比較判定部３００の外部へ送信する電子鍵情報生成手段３０３とを備えている。
【０１６４】
ここで、利用者自身が実際に電子鍵データの更新を行う場合の手順について説明する。まず、機械式・赤外線式併用二重鍵１００のグリップ部１２０に配置された赤外線通信手段１２８の半球状の受光部および発光部と、ドアホンコントローラ４００の正面下部左側に配置された赤外線通信手段３０５の半球状の発光部および受光部とが、互いに対向するような位置に機械式・赤外線式併用二重鍵１００を保持する。この状態で機械式・赤外線式併用二重鍵１００のグリップ部１２０に備えられた赤外線通信用操作手段１２１ｃを操作すると、赤外線通信手段１２８による赤外線通信がいつでも開始可能な待機状態となる。
【０１６５】
次に、ドアホンコントローラ４００の正面下部右側に配置された電子鍵更新用操作手段３０４を操作すると、比較判定部３００の電子鍵情報生成手段３０３により新しい電子鍵データが生成されるとともに、ドアホンコントローラ４００の正面下部左側に配置された赤外線通信手段３０５による赤外線通信が開始され、新しい電子鍵データの送信が開始できる状態となる。
【０１６６】
すると、赤外線通信がいつでも開始可能な待機状態にあった機械式・赤外線式併用二重鍵１００の赤外線通信手段１２８と、ドアホンコントローラ４００の赤外線通信手段３０５との間で赤外線通信が開始され、ドアホンコントローラ４００の赤外線通信手段３０５から送信された新しい電子鍵データは、機械式・赤外線式併用二重鍵１００の赤外線通信手段１２８により受信される。そして、電子鍵情報更新手段１２７により、電子鍵情報記憶手段１２４に保存されている電子鍵データが、赤外線通信手段１２８により受信された新しい電子鍵データで更新される。
【０１６７】
また、電子鍵情報更新手段１２７は、電子鍵情報記憶手段１２４に保存されている電子鍵データの更新が正常に完了したことを確認できた時点で、赤外線通信手段１２８を通じてドアホンコントローラ４００の赤外線通信手段３０５に対して電子鍵更新完了信号を送信する。ドアホンコントローラ４００の電子鍵情報生成手段３０３は、赤外線通信手段３０５により機械式・赤外線式併用二重鍵１００の赤外線通信手段１２８からの電子鍵更新完了信号を受信すると、その時点で親鍵情報記憶手段３０２に保存されている親鍵データを生成した電子鍵データで更新する。
【０１６８】
このようにして、機械式・赤外線式併用二重錠前システム１の電子鍵データの更新が行われる。
【０１６９】
また、機械式・赤外線式併用二重錠前システム１の電子鍵データの更新を行う前に、親鍵情報記憶手段３０２に保存されている更新前親鍵データを他の記憶手段によって記憶するとともに、比較判定部３００の電子鍵データ比較判定手段３０１が、錠２００のデコード手段２２２によって変換された電子鍵データをこの記憶手段に記憶された更新前親鍵データとも比較するようにすれば、両者が一致したときは、電子鍵データの更新を行う前の機械式・赤外線式併用二重鍵１００が使用されたということになる。これはすなわち、紛失した機械式・赤外線式併用二重鍵１００、あるいは盗難にあった機械式・赤外線式併用二重鍵１００が使用されたということで、何者かによって不正開錠が試みられた可能性がある。防犯という観点からは、できればこのような場合には、何らかの対応処置を講じることが望ましい。
【０１７０】
機械式・赤外線式併用二重錠前システム１の比較判定部３００が、住宅などに備わっている既存の装置に内蔵されている場合、その装置内の他の機能と連動させることによって、様々な対応処置が可能となる。
【０１７１】
例えば、機械式・赤外線式併用二重錠前システム１の比較判定部３００が玄関のドアに取り付けられたモニター付のドアホンに内蔵されている場合、このドアホンが何らかの表示ランプ、あるいは警告ランプを内蔵していれば、このランプを継続的に点滅させることによって、不正開錠が試みられた可能性があることを利用者に知らせることができる。ドアホンの室内側の親機にカレンダーと時計と記録装置が内蔵されている場合には、不正開錠が試みられた日時を記録するようにしてもよい。ドアホンの室内側の親機に映像の録画装置が内蔵されている場合には、不正開錠が試みられた可能性があるときの映像を録画して残すようにしておいてもよい。
【０１７２】
また、機械式・赤外線式併用二重錠前システム１の比較判定部３００が住宅用のホームセキュリティシステムのコントローラに内蔵されていて、このコントローラが電話回線に接続されているのであれば、不正開錠が試みられた可能性があるときに予め登録してある電話番号に通報するようにしてもよい。予め登録する電話番号としては、利用者の携帯電話の番号、利用者の勤務先や外出先の電話番号、ホームセキュリティシステムのサービスを提供している警備会社の電話番号などが考えられるが、これに限るものではない。
【０１７３】
また、機械式・赤外線式併用二重錠前システム１の比較判定部３００が住宅用のホームセキュリティシステムのコントローラに内蔵されていて、このコントローラがインターネットに接続されているのであれば、不正開錠が試みられた可能性があるときに予め登録してある連絡先に通報するようにしてもよい。例えば、利用者のメールアドレスに警告メールを送信してもよいし、さらに、ホームセキュリティシステムにモニター付のドアホンと同様にカメラが内蔵されている場合は、このカメラによって撮影した映像の一部を静止画像として警告メールに添付して送信するようにしてもよい。あるいは、このカメラの映像をそのまま、インターネットを経由してホームセキュリティシステムのサービスを提供している警備会社に中継するようにしてもよい。
【０１７４】
また、機械式・赤外線式併用二重錠前システム１の比較判定部３００が住宅用のホームセキュリティシステムのコントローラに内蔵されていて、このコントローラが防犯ベルや警告灯に接続されているのであれば、不正開錠が試みられた可能性があるときに防犯ベルを鳴らしたり、警告灯を点灯、あるいは点滅させることにより、住宅の周囲の住民や通行人に警告するようにしてもよい。
【０１７５】
なお、以上で説明した機械式・赤外線式併用二重錠前システム１における錠２００や比較判定部３００の不図示の電源は、常時供給しておいてもよいが、鍵穴に鍵が挿入されていることを機械式スイッチなどで検出するようにして、鍵が挿入されていることを検出しているときのみ電源を供給するようにしてもよい。ただし、錠２００における電子ロック２２０は、電源の供給を停止した場合でも、電源供給停止前の開錠状態または施錠状態を維持できるようにしておく必要がある。
【０１７６】
【発明の効果】
以上詳述した通り、本発明の機械式・赤外線式併用二重鍵では、機械式ロックの鍵と赤外線式電子ロックの鍵を一体化しており、１つの鍵で機械式ロックと赤外線式電子ロックの両方の開錠と施錠を行うことができる。赤外線発光手段は、固有形状をした機械式鍵部の先端または側面に、１つまたは複数が埋め込まれており、鍵穴の内部において赤外線を放射する。
【０１７７】
これにより、合鍵の作製が困難なものとなり、セキュリティ性を高めている。
【０１７８】
また、本発明の機械式・赤外線式併用二重錠前システムでは、機械式ロックの開錠ができた場合のみ、赤外線式電子ロックの開錠が可能となるので、２重ロックとして機能して、セキュリティ性を高めている。生体認証方式のような利用者の事前登録は必要ないため、緊急時には正規の機械式・赤外線式併用二重鍵を第３者に委託して開錠または施錠を行ってもらうことも可能である。
【０１７９】
なお、利用者自身で電子鍵データの更新を行うことができるようにした場合は、機械式・赤外線式併用二重鍵を紛失した場合でも、紛失した機械式・赤外線式併用二重鍵の電子鍵データを無効にすることができるとともに、予備の機械式・赤外線式併用二重鍵に対して更新後の電子鍵データを反映させることにより、有効利用することが可能となる。
【０１８０】
これにより、紛失した機械式・赤外線式併用二重鍵をできる限り早く無効化して、高いセキュリティ性を維持するとともに、利用者にとっての利便性も向上させることができる。
【図面の簡単な説明】
【図１】本発明の第１実施形態における機械式・赤外線式併用二重鍵の概観図である。
【図２】本発明の第１実施形態における機械式・赤外線式併用二重鍵のブロック図である。
【図３】本発明の第２実施形態における機械式・赤外線式併用二重鍵の概観図である。
【図４】本発明の第３実施形態における機械式・赤外線式併用二重錠前システムの概念図である。
【図５】本発明の第３実施形態における機械式・赤外線式併用二重錠前システムを構成する錠と比較判定部のブロック図である。
【図６】本発明の第４実施形態における機械式・赤外線式併用二重鍵の概観図である。
【図７】本発明の第４実施形態における鍵穴と赤外線発光手段の位置関係の概念を示す断面図である。
【図８】本発明の第５実施形態における鍵穴と赤外線発光手段の位置関係の概念を示す断面図である。
【図９】本発明の第６実施形態における機械式・赤外線式併用二重鍵の概観図である。
【図１０】本発明の第６実施形態における機械式・赤外線式併用二重鍵のブロック図である。
【図１１】本発明の第６実施形態における機械式・赤外線式併用二重錠前システムを構成する錠と比較判定部のブロック図である。
【図１２】本発明の第７実施形態における機械式・赤外線式併用二重鍵の概観図である。
【図１３】本発明の第８実施形態における機械式・赤外線式併用二重錠前システムを構成する錠と比較判定部のブロック図である。
【図１４】本発明の第９実施形態における機械式・赤外線式併用二重鍵の概観図である。
【図１５】本発明の第９実施形態における機械式・赤外線式併用二重鍵のブロック図である。
【図１６】本発明の第９実施形態におけるドアホンコントローラの概観図である。
【図１７】本発明の第９実施形態における機械式・赤外線式併用二重錠前システムを構成する錠と比較判定部のブロック図である。
【符号の説明】
１      機械式・赤外線式併用二重錠前システム
１１０  機械式鍵部
１２０  グリップ部
１１１  赤外線発光手段
１２１  操作手段
１２１  開錠用操作手段
１２１  施錠用操作手段
１２１  赤外線通信用操作手段
１２２  駆動手段
１２３  エンコード手段
１２４  電子鍵情報記憶手段
１２５  電源供給手段
１２６  電極
１２７  電子鍵情報更新手段
１２８  赤外線通信手段
２００  錠
２１０  機械式ロック
２１１  シリンダー外筒
２１２  シリンダー内筒
２１３  鍵穴
２１４  赤外線受光手段取付穴
２１５  貫通穴
２１６  赤外線受光手段取付穴
２１７  機械式ロック位置検出手段
２２０  電子ロック
２２１  赤外線受光手段
２２２  デコード手段
３００  比較判定部
３０１  電子鍵データ比較判定手段
３０２  親鍵情報記憶手段
３０３  電子鍵情報生成手段
３０４  電子鍵更新用操作手段
３０５  赤外線通信手段
４００  ドアホンコントローラ
４０１  テレビモニター
４０２  マイク
４０３  スピーカー
【図１】
2004218379.tif 000003
【図２】
2004218379.tif 000004
【図３】
2004218379.tif 000005
【図４】
2004218379.tif 000006
【図５】
2004218379.tif 000007
【図６】
2004218379.tif 000008
【図７】
2004218379.tif 000009
【図８】
2004218379.tif 000010
【図９】
2004218379.tif 000011
【図１０】
2004218379.tif 000012
【図１１】
2004218379.tif 000013
【図１２】
2004218379.tif 000014
【図１３】
2004218379.tif 000015
【図１４】
2004218379.tif 000016
【図１５】
2004218379.tif 000017
【図１６】
2004218379.tif 000018
【図１７】
2004218379.tif 000019